(57)【要約】【課題】  ルートの近辺であって、カメラが設置されていない場所の情報を出力出来る情報送信システムなどを提供する。【解決手段】  情報送信システムは、複数の携帯端末と、サーバーとを備える。サーバーは、複数の携帯端末のうち少なくとも１つの携帯端末において生成した被記録データを、被記録データを生成した日時情報と位置情報とともに、受信しデータベースに記録する。被記録データは、撮影により得られた画像データ、入力操作により得られた文字データ、録音により得られた音声データのうち少なくとも１つを含む。複数の携帯端末のそれぞれは、出発地から目的地までのルートの少なくとも一部を含む地図と、データベースに記録された被記録データであって、ルートから第１距離の範囲内の位置情報を有するものを表示する。【選択図】  図２７
2018195966.tif 000002
【特許請求の範囲】
【請求項１】
複数の携帯端末と、
サーバーとを備えた情報送信システムであって、
前記サーバーは、前記複数の携帯端末のうち少なくとも１つの携帯端末において生成した被記録データを、前記被記録データを生成した日時情報と位置情報とともに、受信しデータベースに記録するものであり、
前記被記録データは、撮影により得られた画像データ、入力操作により得られた文字データ、録音により得られた音声データのうち少なくとも１つを含み、
前記複数の携帯端末のそれぞれは、出発地から目的地までのルートの少なくとも一部を含む地図と、前記データベースに記録された被記録データであって、前記ルートから第１距離の範囲内の位置情報を有するものを表示することを特徴とする情報送信システム。
【請求項２】
前記複数の携帯端末のそれぞれは、前記被記録データであって、前記ルートから前記第１距離の範囲内の位置情報を有するものを、前記出発地から近い順、若しくは前記目的地から近い順に並べて表示することを特徴とする請求項１に記載の情報送信システム。
【請求項３】
前記複数の携帯端末のそれぞれは、前記被記録データであって、前記ルートから前記第１距離の範囲内の位置情報を有するものを、前記被記録データを生成した日時の新しい順に並べて表示することを特徴とする請求項１に記載の情報送信システム。
【請求項４】
前記複数の携帯端末のそれぞれは、現在位置から第２距離の範囲内にある避難所を一覧表示するものであり、
前記ルートは、現在位置を前記出発地とし、前記一覧表示された避難所のうち選択されたものを前記目的地としたルートであることを特徴とする請求項１に記載の情報送信システム。
【請求項５】
前記複数の携帯端末は、第１使用者のＩＤで、第１画面の表示が可能な位置情報プログラムにログインした第１携帯端末と、前記位置情報プログラム上のグループチャットで前記第１使用者と同じ第１のグループに所属する第２使用者のＩＤで、前記位置情報プログラムにログインした第２携帯端末を含み、
前記第１携帯端末における前記第１画面は、前記第２使用者を含む前記第１のグループに所属する使用者の位置情報を有し、
前記第１携帯端末の前記第１画面における、前記第２使用者の位置情報を表示する領域をクリックした場合の前記ルートは、前記第１携帯端末の位置を出発地とし、前記第２携帯端末の位置を目的地としたルートであることを特徴とする請求項１に記載の情報送信システム。
【請求項６】
前記サーバーは、前記被記録データを、前記日時情報と前記位置情報と公開条件とともに、受信し前記データベースに記録するものであり、
前記複数の携帯端末のそれぞれは、前記ルートと、前記地図と、前記データベースに記録された被記録データであって、前記ルートから前記第１距離の範囲内の位置情報を有するものであり、且つ前記公開条件に合うものを表示することを特徴とする請求項１に記載の情報送信システム。
【請求項７】
前記ルートから前記第１距離の範囲内の位置情報を有し、前記公開条件に合う前記被記録データが所定数よりも多い場合には、表示される被記録データの数が前記所定数以下になるように調整されることを特徴とする請求項６に記載の情報送信システム。
【請求項８】
携帯端末であって、出発地から目的地までのルートの少なくとも一部を含む地図と、データベースに記録された被記録データであって、前記ルートから第１距離の範囲内の位置情報を有するものを表示するものであり、
前記被記録データは、前記携帯端末と前記携帯端末とは異なる他の携帯端末の少なくとも一方において生成したものであり、撮影により得られた画像データと入力操作により得られた文字データと録音により得られた音声データの少なくとも１つを含むものであり、
前記データベースは、前記被記録データを、前記被記録データを生成した日時情報と位置情報とともに、サーバーに記録されたものであることを特徴とする携帯端末。
【請求項９】
複数の携帯端末と通信する通信部と、
前記複数の携帯端末のうち少なくとも１つの携帯端末において生成した被記録データを、前記被記録データを生成した日時情報と位置情報とともに、データベースに記録する記録部を備えたサーバーであって、
前記被記録データは、撮影により得られた画像データと入力操作により得られた文字データと録音により得られた音声データのうち少なくとも１つを含み、
前記サーバーの前記データベースに記録された被記録データに基づいて、前記複数の携帯端末のそれぞれは、出発地から目的地までのルートの少なくとも一部を含む地図と、前記データベースに記録された被記録データであって、前記ルートから第１距離の範囲内の位置情報を有するものを表示することを特徴とするサーバー。
【発明の詳細な説明】
【技術分野】
【０００１】
本発明は、ルートの近辺で取得された画像などの情報を提供する情報送信システムなどに関する。
【背景技術】
【０００２】
特許文献１などで、ネットワークを介して画像閲覧が可能な監視カメラ（ライブカメラ）であって、ルートの近辺にあるものを地図上に表示する車両誘導装置などが提案されている。
【先行技術文献】
【特許文献】
【０００３】
【特許文献１】特開２０１０−６６１２０号公報
【発明の概要】
【発明が解決しようとする課題】
【０００４】
しかしながら、監視カメラが設置されていない場所の情報を提供することが出来ない。
【０００５】
したがって本発明の目的は、ルートの近辺であって、カメラが設置されていない場所の情報を出力出来る情報送信システムなどを提供することである。
【課題を解決するための手段】
【０００６】
本発明に係る情報送信システムは、複数の携帯端末と、サーバーとを備え、サーバーは、複数の携帯端末のうち少なくとも１つの携帯端末において生成した被記録データを、被記録データを生成した日時情報と位置情報とともに、受信しデータベースに記録するものであり、被記録データは、撮影により得られた画像データ、入力操作により得られた文字データ、録音により得られた音声データのうち少なくとも１つを含み、複数の携帯端末のそれぞれは、出発地から目的地までのルートの少なくとも一部を含む地図と、データベースに記録された被記録データであって、ルートから第１距離の範囲内の位置情報を有するものを表示する。
【０００７】
監視カメラなどのカメラが定常的に設置されていない場所でも、使用者からアップロードされた情報（画像、文字、音声）に基づいて、出発地から目的地までのルートの近辺の情報を視認させることが可能になる。
【０００８】
好ましくは、複数の携帯端末のそれぞれは、被記録データであって、ルートから第１距離の範囲内の位置情報を有するものを、出発地から近い順、若しくは目的地から近い順に並べて表示する。
【０００９】
また、好ましくは、複数の携帯端末のそれぞれは、被記録データであって、ルートから第１距離の範囲内の位置情報を有するものを、被記録データを生成した日時の新しい順に並べて表示する。
【００１０】
また、好ましくは、複数の携帯端末のそれぞれは、現在位置から第２距離の範囲内にある避難所を一覧表示するものであり、ルートは、現在位置を出発地とし、一覧表示された避難所のうち選択されたものを目的地としたルートである。
【００１１】
使用者からアップロードされた情報（画像、文字、音声）に基づいて、出発地から目的地（近くの避難所）までのルートの近辺の情報を視認させることが可能になる。
【００１２】
また、好ましくは、複数の携帯端末は、第１使用者のＩＤで、第１画面の表示が可能な位置情報プログラムにログインした第１携帯端末と、位置情報プログラム上のグループチャットで第１使用者と同じ第１のグループに所属する第２使用者のＩＤで、位置情報プログラムにログインした第２携帯端末を含み、第１携帯端末における第１画面は、第２使用者を含む第１のグループに所属する使用者の位置情報を有し、第１携帯端末の第１画面における、第２使用者の位置情報を表示する領域をクリックした場合のルートは、第１携帯端末の位置を出発地とし、第２携帯端末の位置を目的地としたルートである。
【００１３】
また、好ましくは、サーバーは、被記録データを、日時情報と位置情報と公開条件とともに、受信しデータベースに記録するものであり、複数の携帯端末のそれぞれは、ルートと、地図と、データベースに記録された被記録データであって、ルートから第１距離の範囲内の位置情報を有するものであり、且つ公開条件に合うものを表示する。
【００１４】
さらに好ましくは、ルートから第１距離の範囲内の位置情報を有し、公開条件に合う被記録データが所定数よりも多い場合には、される被記録データの数が所定数以下になるように調整される。
【００１５】
本発明に係る携帯端末は、出発地から目的地までのルートの少なくとも一部を含む地図と、データベースに記録された被記録データであって、ルートから第１距離の範囲内の位置情報を有するものを表示するものであり、被記録データは、携帯端末と携帯端末とは異なる他の携帯端末の少なくとも一方において生成したものであり、撮影により得られた画像データと入力操作により得られた文字データと録音により得られた音声データの少なくとも１つを含むものであり、データベースは、被記録データを、被記録データを生成した日時情報と位置情報とともに、サーバーに記録されたものである。
【００１６】
本発明に係るサーバーは、複数の携帯端末と通信する通信部と、複数の携帯端末のうち少なくとも１つの携帯端末において生成した被記録データを、被記録データを生成した日時情報と位置情報とともに、データベースに記録する記録部を備えたサーバーであって、被記録データは、撮影により得られた画像データと入力操作により得られた文字データと録音により得られた音声データのうち少なくとも１つを含み、サーバーのデータベースに記録された被記録データに基づいて、複数の携帯端末のそれぞれは、出発地から目的地までのルートの少なくとも一部を含む地図と、データベースに記録された被記録データであって、ルートから第１距離の範囲内の位置情報を有するものを表示する。
【発明の効果】
【００１７】
以上のように本発明によれば、ルートの近辺であって、カメラが設置されていない場所の情報を出力出来る情報送信システムなどを提供することができる。
【図面の簡単な説明】
【００１８】
【図１】本実施形態における位置情報出力システムの構成図である。
【図２】２０１６年８月３日８時８分時点における位置情報データベースのコンテンツ例を示す図である。
【図３】グループ情報データベースのコンテンツ例を示す図である。
【図４】２０１６年８月３日８時８分時点における第１携帯端末の第１画面の表示例で、第１使用者位置情報表示領域の上方領域が表示されたものある。
【図５】２０１６年８月３日８時８分時点における第１携帯端末の第１画面の表示例で、第１使用者位置情報表示領域の下方領域が表示されたものである。
【図６】図４の状態から、グループ名称：田中家に対応するグループの第１グループ名称表示領域がクリックされて表示された第２画面の表示例である。
【図７】図４の状態から、グループ名称：田中家に対応するグループの位置通知ボタンがクリックされて表示された第２画面の表示例である。
【図８】図４の状態から、重畳された第１割り込み画面の表示例である。
【図９】第２割り込み画面の表示例であって、「メッセージを送信する」ボタンがクリックされる前のものである。
【図１０】図９の状態から、「無事を報告する」ボタンがクリックされた後の第１画面の表示例である。
【図１１】第２割り込み画面の表示例であって、「メッセージを送信する」ボタンがクリックされた後のものである。
【図１２】図１１の状態から、第２メッセージ入力領域に入力されたメッセージが送信された後における、グループ名称：田中家に対応する第２画面の表示例である。
【図１３】図１１の状態から、第２メッセージ入力領域に入力されたメッセージが送信された後における、グループ名称：実家に対応する第２画面の表示例である。
【図１４】２０１６年８月３日８時３１分時点における位置情報データベースのコンテンツ例を示す図である。
【図１５】２０１６年８月３日８時３２分時点における第１携帯端末の第１画面の表示例である。
【図１６】２０１６年８月３日８時３２分時点における位置情報データベースのコンテンツ例を示す図である。
【図１７】２０１６年８月３日８時３３分時点における第１携帯端末の第１画面の表示例である。
【図１８】２０１６年８月３日８時３３分時点における位置情報データベースのコンテンツ例を示す図である。
【図１９】第３画面の表示例である。
【図２０】図１９の状態から、最上段の災害情報（第１災害情報）を示す領域をクリックして、切り替え表示された第４画面の例である。
【図２１】キャンセル情報を含む第１画面の表示例である。
【図２２】図１９の状態から、キャンセル情報を受信した場合の第３画面の表示例である。
【図２３】第２割り込み画面の表示例であって、図６の状態からさらに第２画像データ送信操作ボタンがクリックされた後のものである。
【図２４】図６の状態から、画像データが送信されて送信対象画像が、グループ名称：田中家に対応するグループのグループチャットに加えられた状態の第２画面の表示例である。
【図２５】図６の状態から、音声データが送信されて録音された音声が再生可能な状態で、グループ名称：田中家に対応するグループのグループチャットに加えられた状態の第２画面の表示例である。
【図２６】画像音声文字データベースのコンテンツ例を示す図である。
【図２７】第５画面の表示例である。
【図２８】第５画面の表示例であって、図２７の状態から、５番目の画像データが選択されて拡大表示された状態を示す図である。
【図２９】第６画面の表示例である。
【図３０】第７画面の表示例である。
【図３１】第７画面の表示例であって、図３０の状態から、第３画像データ送信操作ボタンがクリックされた後のものである。
【図３２】３番目の画像データが複数重ね合わせて表示された場合の第５画面の表示例を示す図である。
【図３３】第５画面の表示例であって、図３２の状態から、３番目の画像データが選択されて拡大表示された状態を示す図である。
【図３４】第５画面の表示例であって、図２７の状態から、地図が拡大表示された状態を示す図である。
【発明を実施するための形態】
【００１９】
以下、本実施形態について、図を用いて説明する。本実施形態における位置情報出力システム（情報送信システム）１は、情報源発信部２０、位置情報サーバー３０（通信部３１、記録部３３、制御部３５）、携帯電話などの携帯端末（第５１携帯端末Ｍ５１〜第５５携帯端末Ｍ５５）を備える（図１参照）。
本実施形態では、５つの携帯端末を使って、互いの位置情報や安否情報を通知しあう形態を説明するが、携帯端末の数は、５つに限るものではない。
【００２０】
第５１携帯端末Ｍ５１が、特許請求の範囲に記載された「第１携帯端末」に相当し、第５２携帯端末Ｍ５２が、特許請求の範囲に記載された「第２携帯端末」に相当し、位置情報サーバー３０が、特許請求の範囲に記載された「サーバー」に相当する。
【００２１】
使用者ＩＤ：１１の使用者（使用者名称：パパ、太郎）が第５１携帯端末Ｍ５１にインストールされた位置情報プログラム（情報送信プログラム）に使用者ＩＤ：１１でログインし、使用者ＩＤ：１２の使用者（使用者名称：花子）が第５２携帯端末Ｍ５２にインストールされた位置情報プログラムに使用者ＩＤ：１２でログインし、使用者ＩＤ：１３の使用者（使用者名称：進）が第５２携帯端末Ｍ５３にインストールされた位置情報プログラムに使用者ＩＤ：１３でログインし、使用者ＩＤ：２３の使用者（使用者名称：おじいちゃん）が第５４携帯端末Ｍ５４にインストールされた位置情報プログラムに使用者ＩＤ：２３でログインし、使用者ＩＤ：２４の使用者（使用者名称：おばあちゃん）が第５５携帯端末Ｍ５５にインストールされた位置情報プログラムに使用者ＩＤ：２４でログインする例を示す。
また、図４などの画面表示例は、使用者ＩＤ：１１の使用者（使用者名称：パパ、太郎）が、第５１携帯端末Ｍ５１にインストールされた位置情報プログラムに、使用者ＩＤ：１１でログインした後に表示されるものである。
【００２２】
位置情報サーバー３０と携帯端末の間の情報送受信は、位置情報プログラムを介して行われる。
なお、本実施形態では、各携帯端末にインストールされた位置情報プログラムを用いる形態を説明するが、各携帯端末がネットワークを介してＡＳＰ（Application Service Provider）のサーバーにアクセスし、当該ＡＳＰのサーバー-に格納された位置情報プログラムを用いる形態であってもよい。
【００２３】
情報源発信部２０は、災害情報を位置情報サーバー３０の通信部３１に出力する。
災害情報は、少なくとも災害の場所に関する情報を有し、本実施形態では、災害の種別、場所、及び日時に関する情報を有する。
本実施形態では、災害情報が、地震に関する災害情報であるとして説明するが、他の災害情報であってもよい。また、地震発生報告など過去に発生した情報だけでなく、地震予知など将来に発生が予測される情報であってもよい。
また、情報源発信部２０が通信部３１に出力するのは、災害情報だけでなく、武力攻撃事態などの有事関連情報を含む危険情報であってもよい。
【００２４】
災害情報は、災害情報に含まれる災害の規模が所定の規模以上である第１災害情報と、災害情報に含まれる災害の規模が所定の規模未満である第２災害情報と、第１災害情報や第２災害情報の発信後の第１時間Ｔ１（数秒〜数十秒程度）以内に発せられるキャンセル情報（第１災害情報や第２災害情報を取り消す情報）に区分される。
本実施形態では、震度が５以上の地震に関する情報を第１災害情報とし、震度が５未満の地震に関する情報を第２災害情報とする。
【００２５】
情報源発信部２０は、位置情報サーバー３０とネットワーク接続が可能な状態で、気象庁など災害情報を発信出来る場所に設置される。
ただし、情報源発信部２０を設置せず、災害情報の関連情報を受けた使用者が、入出力端末７０を介して、位置情報サーバー３０に災害情報を入力し、これに基づいて、位置情報サーバー３０が災害情報を携帯端末に送信する形態であってもよい。
【００２６】
本実施形態では、情報源発信部２０から「災害の種別：地震（四国地方で最大予測震度６−でマグニチュード７．１）、場所：四国地方、日時：２０１６年８月３日８時３０分１７秒」を有する災害情報を位置情報サーバー３０が受信し、第５１携帯端末Ｍ５１〜第５５携帯端末５５は、以下に示す条件で自身の位置情報などを位置情報サーバー３０に送信する例を示す。
【００２７】
第５１携帯端末Ｍ５１は、２０１６年８月３日８時８分３２秒に位置情報を位置情報サーバー３０に送信し、２０１６年８月３日８時３１分２２秒に位置情報や無事である旨の信号（若しくは、メッセージ）を位置情報サーバー３０に送信した。
第５２携帯端末Ｍ５２は、２０１６年８月３日８時４分１２秒に位置情報を位置情報サーバー３０に送信し、２０１６年８月３日８時３２分５３秒に位置情報や無事である旨の信号を位置情報サーバー３０に送信した。
第５３携帯端末Ｍ５３は、２０１６年８月３日８時５分２０秒に位置情報を位置情報サーバー３０に送信し、２０１６年８月３日８時３３分３秒に位置情報や無事である旨の信号を位置情報サーバー３０に送信した。
第５４携帯端末Ｍ５４は、２０１６年８月３日７時３０分１１秒に位置情報を位置情報サーバー３０に送信し、２０１６年８月３日８時３３分２秒に位置情報や無事である旨の信号を位置情報サーバー３０に送信した。
第５５携帯端末Ｍ５５は、２０１６年８月３日７時４５分４２秒に位置情報を位置情報サーバー３０に送信し、２０１６年８月３日８時３３分１４秒に位置情報や無事である旨の信号を位置情報サーバー３０に送信した。
【００２８】
次に位置情報サーバー３０の各部（通信部３１、記録部３３、制御部３５）について、説明する。
【００２９】
位置情報サーバー３０の通信部３１は、位置情報データベースＤ１に登録された携帯端末（第５１携帯端末Ｍ５１〜第５５携帯端末Ｍ５５）のそれぞれと通信を行い、これらの携帯端末に対して災害情報を送信する前から、第２時間Ｔ２（たとえば、３０分）ごとに、各携帯端末の位置情報を取得する。
【００３０】
たとえば、各携帯端末にインストールされた位置情報プログラムを使って、位置情報サーバー３０の通信部３１に対して第２時間Ｔ２ごとに位置情報を送信する形態が考えられる。
【００３１】
また、位置情報サーバー３０の通信部３１が、通信キャリアにおける、携帯端末と無線リンクを形成する基地局、携帯端末のルーチング（通信ルートの選定）や呼設定・切断、課金等を行う移動交換機（ＭＳＣ：Mobile Switching Center）、移動交換機がカバーするエリアごとの位置登録データベースであるＶＬＲ（Visitor Location Register）、ゲートウェイ交換機（ＧＭＳＣ：Gateway Mobile Switching Center）、携帯電話番号や当該携帯端末の識別情報（ＩＭＥＩなど端末の識別番号、ＩＣＣＩＤなどＳＩＭカードの識別番号）や位置情報などのユーザー情報を管理するデータベースであるＨＬＲ（Home Location Register）の何れかと通信を行い、各携帯端末の位置情報を取得する形態が考えられる。
【００３２】
各携帯端末の位置情報を取得する際には、位置情報の詳細度合いの制限は設けず、取得出来る最も詳細なレベルの位置情報を取得し、これが位置情報データベースＤ１に記録される。
ただし、携帯端末（第１携帯端末）に当該携帯端末や他の携帯端末（第２携帯端末）の位置情報を開示する際には、携帯端末の使用者によって設定された「開示する位置情報の詳細度合い（第１詳細度パラメータｄｐ１、第２詳細度パラメータｄｐ２）」に基づいて、位置情報の詳細度合いが調整される。
【００３３】
また、位置情報サーバー３０の通信部３１は、情報源発信部２０からの災害情報を受信し、当該災害情報の受信後（若しくは、入出力端末７０による当該災害情報の入力後）に、位置情報データベースＤ１やグループ情報データベースＤ２に基づいて、携帯端末（第５１携帯端末Ｍ５１〜第５５携帯端末Ｍ５５）に、当該災害情報などを送信し、当該携帯端末からの安否回答情報を受信する。
【００３４】
また、位置情報サーバー３０の通信部３１は、携帯端末（第５１携帯端末Ｍ５１〜第５５携帯端末Ｍ５５）から、生成日時と生成場所と公開条件に関する情報を含んだ被記録データ（画像データ、音声データ、文字データの少なくとも１つを含む）を受信する。
すなわち、携帯端末における被記録データの生成は、携帯端末のカメラを使った撮影、携帯端末のマイクを使った録音、携帯端末の入力手段を使った文字入力が考えられる。
受信した被記録データは、画像音声文字データベースＤ３に記録され、後述する地図表示（ルート近辺で記録された被記録データの表示など）に用いられる。
【００３５】
位置情報サーバー３０の記録部３３は、位置情報データベースＤ１、グループ情報データベースＤ２、画像音声文字データベースＤ３、及び避難所の名称と位置情報の関係を示す避難所データベース（不図示）を記録する。
また、記録部３３には、携帯端末にインストールされた位置情報プログラム（情報送信プログラム）に対応して、当該携帯端末と通信し、災害情報や携帯端末情報や画像音声文字情報などの送受信を行うプログラムがインストールされている。
【００３６】
位置情報データベースＤ１は、携帯端末の使用者に関する情報と、携帯端末（携帯端末名称）と、当該携帯端末の位置に関する情報と、当該携帯端末から送信された安否に関する情報の関係を示す。
位置情報データベースＤ１における携帯端末の使用者に関する情報は、携帯端末それぞれを介して使用者によって入力された情報（使用者設定操作で設定された情報）で、携帯端末それぞれに対応する使用者名称、使用者ＩＤ（位置情報プログラムへログインするための識別番号）、使用者マーク（写真でもよい）を有する。
使用者名称は、使用者ＩＤ：１１に対応する使用者名称：パパ、太郎のように、グループごとに異なる名称が用いられる形態であってもよい。
【００３７】
携帯端末の位置に関する情報は、ＨＬＲなど若しくは携帯端末から受信した情報で、携帯端末それぞれに対応する緯度経度情報、当該緯度経度情報に対応する地域名称、測位日時を有する。
【００３８】
位置情報データベースＤ１における緯度経度情報、測位日時は、第２時間Ｔ２ごとに、位置情報サーバー３０の通信部３１が位置情報データベースＤ１に登録された携帯端末（第５１携帯端末Ｍ５１〜第５５携帯端末Ｍ５５）と通信することにより、若しくは、通信部３１が通信キャリアにおける基地局などと通信することにより取得される。
【００３９】
位置情報データベースＤ１における緯度経度情報に対応する地域名称は、緯度経度情報を地域名称に変換するテーブル（不図示）を使って、携帯端末の緯度経度情報が地域名称に変換されたものである。
【００４０】
位置情報データベースＤ１における安否に関する情報は、位置情報サーバー３０の通信部３１が位置情報データベースＤ１に登録された携帯端末（第５１携帯端末Ｍ５１〜第５５携帯端末Ｍ５５）から安否回答操作があったか否かを示すもので、第１災害情報（災害情報のうち、災害の規模が大きいもの）を送信した時に初期化され、安否種類欄のパラメータ（安否種類パラメータｓｐ）は、総ての携帯端末の使用者の安否が不明である（安否回答操作がされていない）ことを示す初期値（ｓｐ＝１）に設定される。
【００４１】
初期化された後、位置情報データベースＤ１における安否情報は、当該携帯端末から安否回答情報を受信した時に更新される。
【００４２】
携帯端末にインストールされた位置情報プログラム上で、当該携帯端末の使用者によって安否回答のための特定の操作（安否回答操作）が行われた場合に、安否種類欄のパラメータの値が０（回答があったことを示す安否種類パラメータｓｐ＝０）に変更される。すなわち、当該安否回答のための特定の操作（安否回答操作）が行われない状態においては、初期値：１が維持される。
【００４３】
安否回答操作は、たとえば、携帯端末にインストールされた位置情報プログラム上で行われる操作の一つであり、具体的には、第１画面Ｐ１上に割り込み表示された第２割り込み画面Ｐｉ２における「無事を報告する」ボタン６０１若しくは「無事」ボタン６０２をクリックする第１操作と、「メッセージを送信する」ボタン６０３をクリックし、文字または画像もしくは音声によるメッセージを入力し、その後に第２送信ボタン６０５をクリックする第２操作を有する。
ただし、位置情報サーバー３０が情報源発信部２０からキャンセル情報を受信した場合は、安否回答操作の有無に関わらず、総ての使用者の安否種類パラメータｓｐが０に変更される。
【００４４】
グループ情報データベースＤ２は、位置情報プログラム内のグループチャット（グループメッセージ）で使用するグループに関する情報と、当該グループに所属する使用者に関する情報の関係を示す。
グループに関する情報は、携帯端末を介して使用者によって入力された情報（グループ設定操作で設定された情報）で、グループ名称、グループＩＤ（グループの識別番号）、グループマーク（写真でもよい）を有する。
グループに所属する使用者に関する情報は、携帯端末を介して使用者によって入力された情報（位置情報開示指定操作で設定された情報）で、グループに所属する使用者名称、グループに所属する使用者ＩＤ、平常時（安否回答パラメータｓｐが０の間）に開示する位置情報の詳細度合い（第１詳細度パラメータｄｐ１）、災害時（安否回答パラメータｓｐが１の間）に開示する位置情報の詳細度合い（第２詳細度パラメータｄｐ２）を有する。
【００４５】
本実施形態では、第１詳細度パラメータｄｐ１や第２詳細度パラメータｄｐ２が、３段階（１：粗い位置情報（たとえば、都道府県レベル）を開示する、中程度の粗さの位置情報（例えば、市町村レベル）を開示する、３：細かい位置情報（たとえば、番地レベル）を開示する）有する形態を説明するが、２段階若しくは４段階以上有する形態であってもよい。
【００４６】
なお、第２詳細度パラメータｄｐ２は、第１詳細度パラメータｄｐ１と同じかそれ以上に細かい詳細度合いに設定されるのが望ましい。
例えば、第１詳細度パラメータｄｐ１は、使用者により当該３段階で調整可能で、第２詳細度パラメータｄｐ２は、最も細かい詳細度合いで固定される形態が考えられる。
【００４７】
本実施形態では、グループ名称：田中家（グループＩＤ：Ｇ００１）に、使用者ＩＤ：１１の使用者（使用者名称：パパ、第１詳細度パラメータｄｐ１：２、第２詳細度パラメータｄｐ２：３）、使用者ＩＤ：１２の使用者（使用者名称：花子、第１詳細度パラメータｄｐ１：１、第２詳細度パラメータｄｐ２：３）、使用者ＩＤ：１３の使用者（使用者名称：進、第１詳細度パラメータｄｐ１：２、第２詳細度パラメータｄｐ２：３）が所属する。
また、グループ名称：実家（グループＩＤ：Ｇ００２）に、使用者ＩＤ：２３の使用者（使用者名称：おじいちゃん、第１詳細度パラメータｄｐ１：３、第２詳細度パラメータｄｐ２：３）、使用者ＩＤ：２４の使用者（使用者名称：おばあちゃん、第１詳細度パラメータｄｐ１：３、第２詳細度パラメータｄｐ２：３）、使用者ＩＤ：１１の使用者（使用者名称：太郎、第１詳細度パラメータｄｐ１：１、第２詳細度パラメータｄｐ２：３）が所属する。
【００４８】
画像音声文字データベースＤ３は、携帯端末（第５１携帯端末Ｍ５１〜第５５携帯端末Ｍ５５）から送られてきた被記録データ（画像データ、音声データ、文字データの少なくとも１つを含む）と、当該被記録データの生成日時、当該被記録データの生成場所、当該被記録データの公開条件（公開条件パラメータｏｐ）、当該被記録データの送信者の使用者ＩＤの関係を示す（図２６参照）。
被記録データは、携帯端末（第５１携帯端末Ｍ５１〜第５５携帯端末Ｍ５５）のいずれかのカメラで、撮影して得られた画像データ、録音して得られた音声データ、入力操作に対応する文字データの少なくとも一つを含むデータで、携帯端末で当該データを生成（撮影、録音、入力操作）した日時、場所（位置情報）、公開条件、使用者ＩＤに関する情報を含む。
被記録データの公開条件は、当該被記録データを位置情報プログラム上で開示する相手先を、位置情報プログラムの使用者全員とする（公開条件パラメータｏｐ：０）か、使用者ＩＤの使用者が所属するグループの使用者だけとする（公開条件パラメータｏｐ：１）かに関する情報を含む。
当該公開条件の選択は、初期設定、若しくは、被記録データを携帯端末に記録する際、若しくは、携帯端末から位置情報サーバー３０に送信する際に、携帯端末における入力操作などで行われる。
なお、限定的な公開条件は、使用者が所属するグループに所属する使用者に限定する形態に限るものではなく、特定の使用者だけに限定するなど、他の形態であってもよい。
【００４９】
図２６は、使用者ＩＤ：５１でログインした携帯端末から、使用者全員に公開を許可する条件（公開条件パラメータｏｐ：０）で音声データ（データ番号：１０１）が位置情報サーバー３０にアップロードされ、使用者ＩＤ：７１でログインした携帯端末から、使用者ＩＤ：７１の使用者が所属するグループの使用者だけに公開を許可する条件（公開条件パラメータｏｐ：１）で文字データ（データ番号：１０２）が位置情報サーバー３０にアップロードされ、使用者ＩＤ：３２でログインした携帯端末から、使用者全員に公開を許可する条件（公開条件パラメータｏｐ：０）で画像データ（データ番号：１０３）が位置情報サーバー３０にアップロードされ、使用者ＩＤ：１２でログインした携帯端末から、使用者全員に公開を許可する条件（公開条件パラメータｏｐ：０）で文字データ（データ番号：１０４）が位置情報サーバー３０にアップロードされ、使用者ＩＤ：５５でログインした携帯端末から、使用者ＩＤ：５５の使用者が所属するグループの使用者だけに公開を許可する条件（公開条件パラメータｏｐ：１）で画像データ（データ番号：１０５）が位置情報サーバー３０にアップロードされ、使用者ＩＤ：１２でログインした携帯端末から、使用者ＩＤ：１２の使用者が所属するグループの使用者だけに公開を許可する条件（公開条件パラメータｏｐ：１）で画像データ（データ番号：１０６）が位置情報サーバー３０にアップロードされ、使用者ＩＤ：４８でログインした携帯端末から、使用者全員に公開を許可する条件（公開条件パラメータｏｐ：０）で画像データ（データ番号：１０７）が位置情報サーバー３０にアップロードされ、これらが、画像音声文字データベースＤ３に記録された例を示す。
【００５０】
位置情報サーバー３０の制御部３５は、通信部３１や記録部３３を制御する。
【００５１】
具体的には、制御部３５は、位置情報サーバー３０が情報源発信部２０から災害情報を受信した時に、通信部３１を介して、位置情報データベースＤ１に登録された携帯端末（第５１携帯端末Ｍ５１〜第５５携帯端末Ｍ５５）に当該災害情報を送信する。
【００５２】
また、制御部３５は、緊急速報メールやＳＭＳなどを使って、災害情報のうち第１災害情報を含むメッセージを携帯端末に送信する形態であってもよい。
携帯端末は、位置情報プログラムが起動している場合には、当該第１災害情報を含むメッセージを表示せず、位置情報プログラムが起動していない場合は、当該第１災害情報を含むメッセージを表示する。
第１災害情報を含むメッセージとしては、例えば、図８の第１割り込み画面Ｐｉ１における第２災害情報表示領域５０１のＯＫボタン５０１ａや第１マークｍａ１を除く領域に記載されたコンテンツ「地震が発生しました  緊急地震速報を受信しました  ２０１６−０８−０３  ０８：３０：１７に四国地方で地震が発生しました  最大予測震度は６−  マグニチュードは７．１です  身の安全を確保してください」などが考えられる。
これにより、位置情報プログラムが起動していない場合でも、第１災害情報を携帯端末の使用者に伝えることが可能になる。
【００５３】
また、制御部３５は、位置情報サーバー３０が第５１携帯端末Ｍ５１〜第５５携帯端末Ｍ５５から、使用者設定操作やグループ設定操作や位置情報開示指定操作などによって、使用者に関する情報や所属するグループに関する情報や開示する位置情報の詳細度合いに関する情報を受信した時に、記録部３３に記録された位置情報データベースＤ１やグループ情報データベースＤ２を更新する。
【００５４】
また、制御部３５は、位置情報サーバー３０が第５１携帯端末Ｍ５１〜第５５携帯端末Ｍ５５の位置情報を受信した時に、記録部３３に記録された位置情報データベースＤ１における位置情報を更新する。
【００５５】
また、制御部３５は、携帯端末の使用者による安否回答操作に基づき、位置情報サーバー３０が第５１携帯端末Ｍ５１〜第５５携帯端末Ｍ５５から安否回答情報を受信した時に、記録部３３に記録された位置情報データベースＤ１における安否種類パラメータｓｐを更新する。
安否回答操作に基づいて、第５１携帯端末Ｍ５１〜第５５携帯端末Ｍ５５が安否回答情報を位置情報サーバー３０に送信する際に、測位して位置情報も送信される。
送信された位置情報に基づいて、位置情報データベースＤ１における位置情報が更新される。
なお、安否回答操作に基づいて安否回答情報が送信される際に、位置情報が送信されない形態であってもよい。
【００５６】
また、制御部３５は、通信部３１を介して、位置情報データベースＤ１とグループ情報データベースＤ２に基づいて、当該位置情報プログラムにログインした使用者（本人）の携帯端末に対して、位置情報と安否情報であって、当該位置情報プログラムにログインした使用者（本人）が所属するグループに所属する他の使用者（他人）のものを送信する。
例えば、使用者ＩＤ：１１の使用者（使用者名称：パパ、太郎）は、グループ名称：田中家（グループＩＤ：Ｇ００１）のグループと、グループ名称：実家（グループＩＤ：Ｇ００２）のグループに所属するため、これらのグループに所属する使用者（グループ名称：田中家（グループＩＤ：Ｇ００１）のグループに所属する使用者ＩＤ：１２の使用者、使用者ＩＤ：１３の使用者、グループ名称：実家（グループＩＤ：Ｇ００２）に所属する使用者ＩＤ：２３の使用者、使用者ＩＤ：２４の使用者）の位置情報や安否情報が、使用者ＩＤ：１１に対応する第５１携帯端末Ｍ５１に送信される。
【００５７】
位置情報サーバー３０から携帯端末へ送信される位置情報は、最も細かい詳細度合いの位置情報が用いられ、安否情報（安否種類パラメータｓｐ）に基づいて携帯端末上で表示する位置情報の詳細度合いが調整される。
具体的には、安否種類パラメータｓｐが０の使用者については、平常時に開示する位置情報の詳細度合い（第１詳細度パラメータｄｐ１）で、位置情報が表示され、安否種類パラメータｓｐが１の使用者については、災害時に開示する位置情報の詳細度合い（第２詳細度合いパラメータｄｐ２）で、位置情報が表示される。
ただし、位置情報サーバー３０から各携帯端末に位置情報を送信する段階で、位置情報データベースＤ１に記録された安否情報（安否種類パラメータｓｐ）に基づいて、送信する携帯端末ごと、更に位置情報を開示する使用者ごとに詳細度合いを変えた状態で位置情報を各携帯端末に送信する形態であってもよい。
【００５８】
また、制御部３５は、位置情報サーバー３０が第５１携帯端末Ｍ５１〜第５５携帯端末Ｍ５５からの被記録データを受信した時に、記録部３３に記録された画像音声文字データベースＤ３を更新する。
また、制御部３５は、携帯端末で設定した目的地までのルートに関する情報と、当該ルートから第１距離ｄｄ１の範囲内（当該ルートを含む幅が第１距離ｄｄ１×２の領域）の位置情報を有する被記録データに関する情報を、当該携帯端末に送信する。
【００５９】
次に、位置情報プログラムの詳細について説明する。
位置情報プログラムは、第１画面Ｐ１（災害情報、使用者ごとの位置情報の表示）、第２画面Ｐ２（グループチャット表示）、第３画面Ｐ３（災害情報一覧表示）、第４画面Ｐ４（過去災害情報の詳細表示）、第５画面Ｐ５（地図表示）、第６画面Ｐ６（避難所一覧表示）、第７画面Ｐ７（被記録データ送信表示）、第１割り込み画面Ｐｉ１（災害情報の割り込み表示）、第２割り込み画面Ｐｉ２（安否回答の割り込み表示）を携帯端末上に表示する機能を有する。
平常時、携帯端末上には、使用者の操作により、第１画面Ｐ１〜第７画面Ｐ７のいずれかが表示され、災害時には、第１画面Ｐ１〜第７画面Ｐ７が表示された上に、第１割り込み画面Ｐｉ１が割り込み表示され、所定の操作（ＯＫボタン５０１ａのクリック）後に、第２割り込み画面Ｐｉ２が表示される。
【００６０】
第１画面Ｐ１は、第１災害情報表示領域１０１、第１使用者位置情報表示領域１０３、画面切替ボタン表示領域１０５を有する（図４、図５、図８〜図１１、図１５、図１７、図２１、図２３参照）。
【００６１】
第１災害情報表示領域１０１には、直前に発生した地震に関する情報（地域、日時、最大震度、マグニチュード）が表示され、背景に当該地震に関する情報に含まれる地域を中心とした地図が表示される。
第１災害情報表示領域１０１には、第１災害情報と第２災害情報については災害の規模（最大予測震度の数値）を示し、キャンセル情報の場合はキャンセル情報であることを示す第１マークｍａ１が設けられる。
本実施形態では、第１マークｍａ１は、第１災害情報については白抜き文字で表示され、第２災害情報については黒文字で表示され、キャンセル情報についてはハッチングを施した背景色に黒文字で×印を付けたもので表示される。
また、第１災害情報に関連する第１マークｍａ１は暖色系（進出色系）の背景色を有し、第２災害情報に関連する第１マークｍａ１は寒色系（後退色系）の背景色を有する形態も考えられる。
【００６２】
ただし、過去の一定時間内に地震が発生していない場合は、第１災害情報表示領域１０１には、「地震が発生していない旨」の表示と、当該携帯端末の細かい位置情報を含めた表示が行われる。
図４と図５は、過去の一定時間内に地震が発生していない状態を示し、図８〜図１１、図１５、図１７、図２１、図２３は、過去の一定時間内に地震が発生している状態を示す。
【００６３】
また、位置情報サーバー３０が第１災害情報を送信してから、位置情報サーバー３０がグループ内の使用者全員から安否回答を受信するまで、若しくは位置情報サーバー３０が情報源発信部２０からキャンセル情報を受信するまでの第３時間Ｔ３の間は、第１災害情報表示領域１０１若しくは、その近傍の表示領域が、第３時間Ｔ３以外の間と異なった状態で表示される。
例えば、第３時間Ｔ３の間、第１災害情報表示領域１０１とその近傍の表示領域は、赤を基調とした色で表示され、第３時間Ｔ３以外の間、第１災害情報表示領域１０１とその近傍の表示領域は、緑など赤と異なる色を基調とした色で表示される。
【００６４】
本実施形態では、第３時間Ｔ３の間、周囲が太線の枠で強調された状態で第１災害情報表示領域１０１が表示（図８〜図１１、図１５、図２３参照）され、第３時間Ｔ３以外の間、当該太線の枠が無い状態で第１災害情報表示領域１０１が表示（図４、図５、図１７、図２１参照）される例を示す。
【００６５】
第３時間Ｔ３は、当該携帯端末の使用者ごとに、位置情報データベースＤ１における安否情報（安否種類パラメータｓｐ）に基づいて決定され、当該携帯端末の使用者が所属するグループに所属する使用者の少なくとも１人の安否種類パラメータｓｐが１となっている間が当該携帯電話の使用者に対応する第３時間Ｔ３となる。
本実施形態では、当該携帯端末の使用者（使用者ＩＤ：１１、使用者名称：パパ、太郎）が所属する第１のグループ（グループ名称：田中家、グループＩＤ：Ｇ００１）に所属する使用者（使用者ＩＤ：１１、１２、１３）と第２のグループ（グループ名称：実家、グループＩＤ：Ｇ００２）に所属する使用者（使用者ＩＤ：１１、２３、２４）の少なくとも１人の安否種類パラメータｓｐが１となっている間が、使用者ＩＤ：１１に対応する第３時間Ｔ３となる。
【００６６】
災害情報がキャンセル情報である場合には、第１災害情報表示領域１０１に「キャンセル情報であること」を示す文字表示領域１０１ａが設けられる（図２１参照）。
また、キャンセル情報の直前の災害情報が第１災害情報であった場合には、位置情報データベースＤ１における安否種類パラメータｓｐは、総ての使用者について０に戻される。
【００６７】
第１使用者位置情報表示領域１０３には、当該携帯端末の使用者が所属するグループごとに、グループマーク、グループ名称、所属する使用者に関する使用者マーク、使用者名称、位置情報、位置情報の取得時間（現在時間から遡った時間）、位置通知ボタン（当該グループのグループチャット画面に当該携帯端末の使用者の発言として当該携帯端末の位置情報を表示させるボタン）１０３ａが設けられる。
図４などは、使用者ＩＤ：１１の使用者が所属する２つのグループ（第１のグループ名称：田中家、グループＩＤ：Ｇ００１、第２のグループ名称：実家、グループＩＤ：Ｇ００２）ごとに、当該グループに所属する使用者の位置情報などが表示される例を示す。
【００６８】
グループマークやグループ名称が表示された領域（第１グループ名称表示領域１０３ｂ）がクリックされると、当該グループのグループチャット画面（第２画面Ｐ２）の表示に切り替えられる（図６参照）。
【００６９】
第２画面Ｐ２は、第１戻るボタン２０１、グループチャット表示領域２０３を有する（図６、図７、図１２、図１３、図２４〜図２６参照）。
第１戻るボタン２０１がクリックされると、第１画面Ｐ１の表示に切り替えられる。
グループチャット表示領域２０３は、グループマークやグループ名称が表示された領域（第２グループ名称表示領域２０３ａ）と、グループチャットの内容を表示する領域（チャット表示領域２０３ｂ）とが設けられる。
【００７０】
チャット表示領域２０３ｂに、位置通知ボタン１０３ａのクリックに対応して表示された位置情報を含むメッセージには、第２マークｍａ２が設けられる。
チャット表示領域２０３ｂには、第１メッセージ入力領域２０３ｂ１（文字メッセージを入力する領域）、送信を指示する第１送信ボタン２０３ｂ２、写真などの画像データを送信するための第１画像データ送信操作ボタン２０３ｂ３、及び録音した音声などの音声データを送信するための第１音声データ送信操作ボタン２０３ｂ４が設けられる。
【００７１】
第１メッセージ入力領域２０３ｂ１に文字入力などがされる場合には、入力キー領域（不図示、図１１の第１入力キー領域６０６参考）がさらに表示される。
入力キー領域を操作して、第１メッセージ入力領域２０３ｂ１に文字メッセージが入力され、その後に第１送信ボタン２０３ｂ２がクリックされると、携帯端末は、当該メッセージ（文字）に対応する文字データを位置情報サーバー３０に送信し、当該文字メッセージがグループチャットに加えられる（図６参照）。
【００７２】
第１画像データ送信操作ボタン２０３ｂ３がクリックされると、携帯端末のカメラで撮影されたスルー画像や、既に携帯端末に記録された画像を、メッセージとして送信する対象として選択可能な状態で表示する画像データ表示領域（不図示、図２３の第１画像データ表示領域６０９参考）がさらに表示される。
当該画像データ表示領域におけるスルー画像から静止画像の撮影や送信対象画像の選択の後に第１送信ボタン２０３ｂ２がクリックされると、携帯端末は、当該メッセージ（画像）に対応する画像データを位置情報サーバー３０に送信し、当該送信対象画像がグループチャットに加えられる（図２４参照）。
図２４は、図６の状態から、第１画像データ送信操作ボタン２０３ｂ３がクリックされ、選択された送信対象画像が、グループチャットに加えられた状態を示す。
【００７３】
第１音声データ送信操作ボタン２０３ｂ４がクリックされると、当該クリック（長押し）がされている間、若しくは当該クリックがされてから第４時間Ｔ４（例えば、Ｔ４＝１０秒）の間、携帯端末のマイクを使って音声が録音される。
録音終了後に第１送信ボタン２０３ｂ２がクリックされると、携帯端末は、当該メッセージ（音声）に対応する音声データを位置情報サーバー３０に送信し、当該録音された音声が再生可能な状態で、グループチャットに加えられる（図２５参照）。
図２５は、図６の状態から、第１音声データ送信操作ボタン２０３ｂ４がクリックされ、録音された音声が再生可能な状態で、グループチャットに加えられた状態を示す。
【００７４】
図６は、第１使用者位置情報表示領域１０３における、グループ名称：田中家に対応する第１グループ名称表示領域１０３ｂがクリックされて、当該グループのグループチャット画面（第２画面Ｐ２）の表示に切り替えられた状態を示す。
【００７５】
第１画面Ｐ１における位置通知ボタン１０３ａがクリックされると、当該グループのグループチャット画面（第２画面Ｐ２）の表示に切り替えられ、且つ当該携帯端末の使用者の発言として、当該携帯端末の位置情報を含むメッセージが、当該位置情報に対応する地図表示への切り替えが可能なリンクが施された状態で、グループチャットに加えられる（図７参照）。
図７は、第１使用者位置情報表示領域１０３における、グループ名称：田中家の位置通知ボタン１０３ａがクリックされて、当該グループのグループチャット画面（第２画面Ｐ２）の表示に切り替えられた状態を示す。
【００７６】
位置通知ボタン１０３ａをクリックする簡単な操作で、使用者が所属するグループのうち指定したグループのグループチャットに使用者の位置情報を含むメッセージを加えることが出来、当該グループに所属する使用者全員に位置情報を伝えることが可能になる。
【００７７】
位置通知ボタン１０３ａをクリックすることにより、グループチャットに加えられる位置情報は、後述する第２詳細度パラメータｄｐ２に基づいて、災害時に開示する位置情報の詳細度合いのものであるのが望ましい。
【００７８】
安否種類パラメータｓｐが０の状態（安否回答操作が行われた状態）で、第１使用者位置情報表示領域１０３に表示される位置情報は、第１詳細度パラメータｄｐ１に基づいて、平常時に開示する位置情報の詳細度合いのものであるが、位置通知ボタン１０３ａの操作によって、グループチャットを介して、第２詳細度パラメータｄｐ２に基づいて、災害時に開示する位置情報の詳細度合いの位置情報（詳しい位置情報）を当該グループに所属する使用者に伝えることが可能になる。
【００７９】
第１使用者位置情報表示領域１０３に表示される情報量が多い場合には、縦方向にスクロールが可能な状態で表示される。図４などは、第１使用者位置情報表示領域１０３における上方領域が表示された状態を示し、図５は、第１使用者位置情報表示領域１０３における下方領域が表示された状態を示す。
【００８０】
第１使用者位置情報表示領域１０３に表示される位置情報の詳細度合いは、位置情報データベースＤ１における安否情報（安否種類パラメータｓｐ）と、グループ情報データベースＤ２における開示する位置情報の詳細度合い（第１詳細度パラメータｄｐ１、第２詳細度パラメータｄｐ２）に基づいて、決定される。
安否種類パラメータｓｐが０の使用者、すなわち、安否回答を受けている使用者について、当該使用者の位置情報は、第１詳細度パラメータｄｐ１に基づいて、平常時に開示する位置情報の詳細度合いで表示される。
図４、図１５、図１７、図２１は、グループ名称：田中家に所属する使用者名称：花子の安否種類パラメータｓｐが０であり、位置情報が、平常時に開示する位置情報の詳細度合い（第１詳細度パラメータｄｐ１：１（粗い位置情報レベル）で表示される例を示す。
【００８１】
また、使用者ＩＤが同じでも、グループごとに開示する位置情報の詳細度合いを異なるものにすることが出来る。
本実施形態では、使用者ＩＤ：１１の使用者は、グループ名称：田中家の中では、使用者名称：パパで、第１詳細度パラメータｄｐ１に基づいて、平常時に中程度の位置情報（東京都港区）を表示し、グループ名称：実家の中では、使用者名称：太郎で、第１詳細度パラメータｄｐ１に基づいて、平常時に粗い位置情報（東京都）を表示する例を示す（図４，図５参照）。
【００８２】
安否種類パラメータｓｐ１が１の使用者、すなわち、安否回答操作をしていない使用者について、当該使用者の位置情報は、第２詳細度パラメータｄｐ２に基づいて、災害時に開示する位置情報の詳細度合いで表示される。
図９〜図１１、図２３は、グループ名称：田中家に所属する使用者名称：花子の安否種類パラメータｓｐが１であり、位置情報が、災害時に開示する位置情報の詳細度合い（第２詳細度パラメータｄｐ２：３（細かい位置情報レベル）で表示される例を示す。
【００８３】
また、使用者マーク、使用者名称、位置情報のいずれかの近傍には、安否種類パラメータｓｐが１である（安否回答をしていない）か、安否種類パラメータｓｐが０である（安否回答をした）かのいずれか一方の場合に点灯し、他方の場合に消灯する第３マークｍａ３が設けられる。
本実施形態では、使用者マークの右上に、当該第３マークｍａ３として、安否種類パラメータが１である（安否回答をしていない）場合に点灯し、安否種類パラメータが０である（安否回答をした）場合に消灯するマーク（ひし形の内側に感嘆符を設けたマーク）が設けられる（図９〜図１１、図１５、図２３参照）。
【００８４】
第１使用者位置情報表示領域１０３で表示される使用者ごとの位置情報の近傍（位置情報と位置情報取得時間の間）には、第２マークｍａ２が設けられ、当該第２マークｍａ２がクリックされると、第２マークｍａ２に対応する使用者の位置情報の地図表示（第５画面Ｐ５の表示、図２７参照））に切り替えられる。
第５画面Ｐ５の詳細は、後述する。
【００８５】
画面切替ボタン表示領域１０５には、第１画面Ｐ１の表示に切り替えるためのホームボタン１０５ａ、第３画面Ｐ３の表示に切り替えるための災害情報ボタン１０５ｂ、当該携帯端末の位置に近い避難所の一覧表示（第６画面Ｐ６）に切り替えるための避難所ボタン１０５ｃ、被記録データを位置情報サーバー３０にアップロードするためのデータ送信ボタン１０５ｄ、グループ情報データベースＤ２の内容の編集などを操作画面表示に切り替えるためのマイページボタン１０５ｅを有する。
【００８６】
第１画面Ｐ１（若しくは、第２画面Ｐ２〜第７画面Ｐ７のいずれか）が表示された状態で、携帯端末が、災害情報のうち第１災害情報を受信した場合には、当該表示画面上に、災害情報の割り込み表示が行われる（第１割り込み画面Ｐｉ１、図８参照）。
第１災害情報と、他の情報（第２災害情報、若しくはキャンセル情報）との判別は、位置情報サーバー３０側で行って、判別情報を含めて携帯端末に送信する形態であってもよいし、災害情報を受信した携帯端末側で当該災害情報が第１災害情報か否かを判別する形態であってもよい。
【００８７】
第１割り込み画面Ｐｉ１は、第２災害情報表示領域５０１を有する。
第２災害情報表示領域５０１には、直前に発生した地震に関する情報（地域、日時、最大震度、マグニチュード）が表示される。
第２災害情報表示領域５０１は、第１画面Ｐ１に設けられた第１災害情報表示領域１０１よりも大きい。
第２災害情報表示領域５０１には、ＯＫボタン５０１ａが設けられ、当該ＯＫボタン５０１ａがクリックされると、第１割り込み画面Ｐｉ１の割り込み表示が終了する。
第２災害情報表示領域５０１には、最大予測震度の数値を示す第１マークｍａ１が設けられ、第２災害情報表示領域５０１における第１マークｍａ１は、第１割り込み画面Ｐｉ１が表示されている間、当該画面に垂直で第１マークｍａ１の略中心を通る軸を中心に回転する。
【００８８】
第１割り込み画面Ｐｉ１の割り込み表示終了後の第１画面Ｐ１の表示は、第１災害情報表示領域１０１の下部（図９、図１１、図２３では、第１グループ名称表示領域１０３ｂの上に重畳する位置）で安否回答を促す第２割り込み画面Ｐｉ２の割り込み表示が行われる。
第１画面Ｐ１における第１災害情報表示領域１０１は、太線の枠を設けるなど、第３時間Ｔ３以外の間と異なった状態で表示される。
第１画面Ｐ１における使用者マークには、対応する使用者の安否種類パラメータｓｐが１から０に変わるまで、第３マークｍａ３が表示される。
第１画面Ｐ１における使用者の位置情報は、対応する使用者の安否種類パラメータｓｐが１から０に変わるまで、災害時に開示する位置情報の詳細度合い（第２詳細度パラメータｄｐ２）で表示される。
【００８９】
第２割り込み画面Ｐｉ２は、「無事を報告する」ボタン６０１と「メッセージを送信する」ボタン６０３を表示する（図９参照）。
【００９０】
「無事を報告する」ボタン６０１をクリックする第１操作が行われると、携帯端末は、第１操作が行われたことに関する情報と当該携帯端末の位置情報を位置情報サーバー３０に送信する。
位置情報サーバー３０は、これらの情報を送信した携帯端末の位置情報を更新し、且つ安否種類パラメータｓｐを１から０に変更する（図１４参照）。
また、第２割り込み画面Ｐｉ２の割り込み表示は終了し、当該携帯端末の使用者に対応する第３マークｍａ３は消灯し、当該携帯端末の使用者に対応する使用者の位置情報は、平常時に開示する位置情報の詳細度合い（第１詳細度パラメータｄｐ１）で表示される（図１０参照）。
【００９１】
「メッセージを送信する」ボタン６０３がクリックされると、第２割り込み画面Ｐｉ２は、「無事を報告する」ボタン６０１と「メッセージを送信する」ボタン６０３を表示する状態から、「無事を報告する」ボタン６０１よりも小さい「無事」ボタン６０２、第２メッセージ入力領域（文字メッセージを入力する領域）６０４、第２送信ボタン６０５、第１入力キー領域６０６、写真などの画像データを送信するための第２画像データ送信操作ボタン６０７、及び録音した音声などの音声データを送信するための第２音声データ送信操作ボタン６０８を表示する状態に変わる（図１１参照）。
【００９２】
第１入力キー領域６０６を操作して、第２メッセージ入力領域６０４に文字メッセージが入力され、その後に第２送信ボタン６０５がクリックされると、携帯端末は、当該メッセージを含む第２操作が行われたことに関する情報と当該携帯端末の位置情報を位置情報サーバー３０に送信する。
位置情報サーバー３０は、これらの情報を送信した携帯端末の位置情報を更新し、且つ安否種類パラメータｓｐを１から０に変更する。
【００９３】
第２画像データ送信操作ボタン６０７がクリックされると、第１入力キー領域６０６の代わりに、携帯端末のカメラで撮影されたスルー画像や、既に携帯端末に記録された画像を、メッセージとして送信する対象として選択可能な状態で表示する第１画像データ表示領域６０９（図２３参照）が表示される。
当該第１画像データ表示領域６０９におけるスルー画像から静止画像の撮影や送信対象画像の選択の後に第２送信ボタン６０５がクリックされると、携帯端末は、当該メッセージ（画像）を含む第２操作が行われたことに関する情報と当該携帯端末の位置情報を位置情報サーバー３０に送信する。
位置情報サーバー３０は、これらの情報を送信した携帯端末の位置情報を更新し、且つ安否種類パラメータｓｐを１から０に変更する。
【００９４】
第２音声データ送信操作ボタン６０８がクリックされると、当該クリック（長押し）がされている間、若しくは当該クリックがされてから第４時間Ｔ４（例えば、Ｔ４＝１０秒）の間、携帯端末のマイクを使って音声が録音される。
録音終了後に第２送信ボタン６０５がクリックされると、携帯端末は、当該メッセージ（音声）を含む第２操作が行われたことに関する情報と当該携帯端末の位置情報を位置情報サーバー３０に送信する。
位置情報サーバー３０は、これらの情報を送信した携帯端末の位置情報を更新し、且つ安否種類パラメータｓｐを１から０に変更する。
【００９５】
さらに、位置情報サーバー３０は、当該携帯端末の使用者が所属するグループに所属する使用者の全員の携帯端末に対して、当該メッセージ（第１入力キー領域６０６の操作により入力された文字、第２画像データ送信操作ボタン６０７の操作により選択された画像、第２音声データ送信操作ボタン６０８の操作により録音された音声）を送信する。これにより、当該携帯端末の使用者の発言として、当該携帯端末の使用者が所属するグループのグループチャットには当該メッセージが加えられる（図１２、図１３参照）。
当該携帯端末の使用者が複数のグループに所属する場合には、当該複数のグループのグループチャットに当該メッセージが加えられる。
また、第２割り込み画面Ｐｉ２の割り込み表示は終了し、当該携帯端末の使用者に対応する第３マークｍａ３は消灯し、当該携帯端末の使用者に対応する使用者の位置情報は、平常時に開示する位置情報の詳細度合い（第１詳細度パラメータｄｐ１）で表示される（図１０参照）。
【００９６】
メッセージ送信操作（第２操作）を１回行うことで、使用者が所属する総てのグループのグループチャットにメッセージ（例えば、図１２、図１３に示すように、自分が大丈夫であることを示すメッセージや、携帯端末で取得した画像若しくは音声を含むメッセージ）を加えることが出来、グループに所属する使用者全員に当該メッセージを伝えることが可能になる。
【００９７】
当該携帯電話の使用者が所属するグループに所属する他の使用者の携帯端末において第１操作若しくは第２操作が行われると、当該他の使用者に対応する安否種類パラメータｓｐが１から０に変わり、第１画面Ｐ１における当該他の使用者の使用者マークに表示された第３マークｍａ３が消灯し、位置情報は、災害時に開示する位置情報の詳細度合い（第２詳細度パラメータｄｐ２）での表示から、平常時に開示する位置情報の詳細度合い（第１詳細度パラメータｄｐ１）での表示に切り替えられる。
【００９８】
例えば、使用者ＩＤ：１２、使用者名称：花子の第５２携帯端末Ｍ５２において、第１操作若しくは第２操作が行われると、位置情報データベースＤ１における安否種類パラメータｓｐが１から０に変更され、第１画面Ｐ１における使用者名称：花子に対応する使用者マークに表示された第３マークｍａ３が消灯し、平常時に開示する位置情報の詳細度合い（第１詳細度パラメータｄｐ１）で位置情報が表示される（図１５、図１６参照）。
【００９９】
当該携帯端末の使用者が所属するグループに所属する他の使用者の携帯端末の総てにおいて第１操作若しくは第２操作が行われると、当該携帯端末の使用者に対応する第３時間Ｔ３が終了し、当該他の使用者に対応する安否種類パラメータｓｐが１から０に変わり、第１画面Ｐ１における当該他の使用者の使用者マークに表示された第３マークｍａ３が消灯し、位置情報は、災害時に開示する位置情報の詳細度合い（第２詳細度パラメータｄｐ２）での表示から、平常時に開示する位置情報の詳細度合い（第１詳細度パラメータｄｐ１）での表示に切り替えられる（図１７、図１８参照）。
また、第１災害情報表示領域１０１は、太線の枠が無い状態での表示に切り替えられる。
【０１００】
また、後述する第４画面Ｐ４で使用する災害発生時の使用者ごとの位置情報表示のために、第３時間Ｔ３が始まった時点、第３時間Ｔ３が終了した時点、若しくはその間やその前後の所定の時点で位置情報データベースＤ１に記録された使用者ごとの位置情報を位置情報サーバー３０若しくは携帯端末が記録しておくのが望ましい。
【０１０１】
第１画面Ｐ１が表示された状態で、災害情報ボタン１０５ｂがクリックされると、過去に発生した災害情報を時系列に並べた第３画面Ｐ３の表示に切り替えられる（図１９、図２２参照）。
第３画面Ｐ３は、過去に発生した災害情報を時系列に並べた災害時系列表示領域３０１と画面切替ボタン表示領域１０５を有する。
災害時系列表示領域３０１は、地震に関する情報（地域、日時、最大震度、マグニチュード）が時系列に表示される。
災害時系列表示領域３０１のそれぞれの災害情報を示す領域には、第１災害情報と第２災害情報については災害の規模（最大予測震度の数値）を示し、キャンセル情報の場合はキャンセル情報であることを示す第１マークｍａ１が設けられる。
本実施形態では、第１マークｍａ１は、第１災害情報については白抜き文字で表示され、第２災害情報については黒文字で表示され、キャンセル情報についてはハッチングを施した背景色に黒文字で×印を付けたもので表示される。
また、第１災害情報に関連する第１マークｍａ１は暖色系（進出色系）の背景色を有し、第２災害情報に関連する第１マークｍａ１は寒色系（後退色系）の背景色を有する形態も考えられる。
災害時系列表示領域３０１の災害情報を示す領域であって、第１災害情報を示す領域がクリック（第３操作）されると、第４画面Ｐ４の表示に切り替えられる（図２０参照）。
【０１０２】
第３画面Ｐ３により、過去に生じた災害を時系列で視認出来るようになる。
【０１０３】
第４画面Ｐ４は、第３災害情報表示領域４０１、第３画面Ｐ３の表示に戻るための切替ボタン４０２、第２使用者位置情報表示領域４０３、画面切替ボタン表示領域１０５を有する。
第３災害情報表示領域４０１では、第３操作でクリックした第１災害情報を示す領域に対応する地震に関する情報（地域、日時、最大震度、マグニチュード）が表示される。
第３災害情報表示領域４０１には、第３操作でクリックした第１災害情報を示す領域に対応する災害の規模（地震の最大予測震度の数値）を示す第１マークｍａ１が設けられる。
切替ボタン４０２がクリックされると、第３画面Ｐ３の表示に切り替えられる（図１９参照）。
【０１０４】
第２使用者位置情報表示領域４０３には、当該携帯端末の使用者が所属するグループごとに、グループマーク、グループ名称、所属する使用者に関する使用者マーク、使用者名称、位置情報、位置情報の取得日時が設けられる。
ここでいう位置情報は、第３操作でクリックした第１災害情報に対応した所定の時点で位置情報データベースＤ１に記録されたもの（第３時間Ｔ３が始まった時点など、第１災害情報が位置情報サーバー３０から送信された時点若しくは当該時点から第５時間Ｔ５（例えば、Ｔ５＝５分）以内に位置情報サーバー３０の位置情報データベースＤ１に記録されたもの）が用いられる。
本実施形態では、第１災害情報が位置情報サーバー３０から携帯端末に送信された時点に位置情報サーバー３０の位置情報データベースＤ１に記録されたものが、第２使用者位置情報表示領域４０３で表示する使用者の位置情報として用いられる。
【０１０５】
第２使用者位置情報表示領域４０３に表示される位置情報の詳細度合いは、グループ情報データベースＤ２における開示する位置情報の詳細度合い（第１詳細度パラメータｄｐ１若しくは第２詳細度パラメータｄｐ２）に基づいて、決定される。
本実施形態では、使用者の位置情報は、第１詳細度パラメータｄｐ１に基づいて、平常時に開示する位置情報の詳細度合いで表示される。
【０１０６】
第２使用者位置情報表示領域４０３で表示される使用者ごとの位置情報の近傍（位置情報と位置情報取得時間の間）には、第２マークｍａ２が設けられ、当該第２マークｍａ２がクリックされると、第２マークｍａ２に対応する使用者の位置情報の（第５画面Ｐ５の表示、図２７参照））に切り替えられる。
【０１０７】
第４画面Ｐ４により、使用者の位置情報であって、過去に生じた災害における発生した前後の時間帯のものを知ることが出来る。
【０１０８】
第５画面Ｐ５は、第２戻るボタン５１１、地図表示領域５１３、ルート情報領域５１５、及び被記録データ表示領域５１７を有する（図２７参照）。
図２７は、図１７の状態で、使用者ＩＤ：１２の使用者（使用者名称：花子）の位置情報の近傍に設けられた第２マークｍａ２がクリックされた後に表示される第５画面Ｐ５の例を示す。
なお、図２７における「ｄｄ１×２」や対応する矢印線、及び「ｄｄ２」や対応する矢印線と点線の円は、第１距離ｄｄ１や第２距離ｄｄ２を図示するためのものであり、実際の第５画面Ｐ５には表示されない。
【０１０９】
第２戻るボタン５１１がクリックされると、第２マークｍａ２をクリックする前の画面の表示（ここでは、第１画面Ｐ１の表示）に切り替えられる。
【０１１０】
地図表示領域５１３には、携帯端末（使用者ＩＤ：１１（使用者名称：パパ、太郎））の現在位置（東京都港区芝公園４丁目８）から、第５画面Ｐ５を表示する直前にクリックされた第２マークｍａ２に対応する使用者（使用者ＩＤ：１２（使用者名称：花子）の位置（千葉県浦安市舞浜３丁目１番１号）までのルート（白抜き太線）と、当該ルートを含む地図が表示される。
ルートの計算は、位置情報サーバー３０が行う形態であってもよいし、携帯端末が行う形態であってもよい。
【０１１１】
また、地図表示領域５１３には、当該ルートの周辺（例えば、当該ルートから第１距離ｄｄ１（例えば、ｄｄ１＝１００ｍ）の範囲内）で生成された被記録データに関する情報であって、使用者全員に公開が許可されたものと、携帯端末の使用者が所属するグループの使用者に公開が許可されたものが表示される。
【０１１２】
図２７は、画像音声文字データベースＤ３に記録され、当該ルートの周辺で生成された被記録データのうち、使用者全員に公開が許可されたもの（データ番号：１０１、１０３、１０４、１０７）と、使用者ＩＤ：１１（使用者名称：パパ、太郎）が所属するグループ（グループＩＤ：Ｇ００１（田中家）、グループＩＤ：Ｇ００２（実家））の使用者に公開が許可されたもの（データ番号：１０６）が、ルート周辺の被記録データの表示に用いられる例を示す。
【０１１３】
本実施形態では、被記録データに関する情報として、当該ルートの周辺で生成された被記録データを出発地から順に並べた番号を表示するが、画像や文字をサムネール表示させたり、音声が再生可能な状態で表示させたりする形態であってもよい。
【０１１４】
ルート情報領域５１５には、目的地、出発地、所要時間に関する文字情報を表示される。
被記録データ表示領域５１７には、当該ルートの周辺で生成された被記録データを、出発地から近い順に並べて表示される。
被記録データ表示領域５７１に表示される情報量（被記録データの数）が多い場合には、横方向にスクロールが可能な状態で表示される。
被記録データ表示領域５１７に表示される被記録データであって、画像や文字に関するものは、元データを小さくしたサムネール表示される形態であってもよい。
被記録データ表示領域５１７における画像データや文字データがある領域がクリックされると、対応する画像若しくは文字が拡大して表示される（図２８参照）。
被記録データ表示領域５１７における音声データがある領域がクリックされると、対応する音声が再生される。
【０１１５】
これにより、監視カメラなどのカメラが定常的に設置されていない場所でも、使用者からアップロードされた情報（画像、文字、音声）に基づいて、出発地から目的地（同じグループに所属する使用者の携帯端末）までのルートの近辺の情報を視認させることが可能になる。
【０１１６】
なお、被記録データ表示領域５１７に表示される被記録データの並び順は、出発地から近い順に並べる形態に代えて、目的地に近い順に並べる形態、若しくは、生成日時が現在時刻に近いものから順に並べる形態であってもよい。
また、ルートの周辺で生成され公開条件に合う被記録データが所定数（例えば、１０個）よりも多い場合には、表示が見づらくなるのを回避するため、表示される被記録データの数が当該所定数以下になるように、調整（間引き）するのが望ましい。
【０１１７】
例えば、第１距離ｄｄ１の範囲（例えば、ｄｄ１＝１００ｍ）の中で生成された被記録データが複数ある場合には、第１距離ｄｄ１を短くする（例えば、ｄｄ１＝５０ｍ）、若しくは、現在時刻に近いもの（現在時刻から第６時間Ｔ６（例えば、Ｔ６＝３０分）以内に携帯端末で生成されたもの）だけを被記録データ表示領域５１７に表示させる形態が考えられる。
【０１１８】
また、例えば、半径が第３距離ｄｄ３（例えば、ｄｄ３＝４００ｍ）の円周内で生成された被記録データが複数ある場合には、生成日時が新しいものを最前面に表示し、残りは背面に重ねて表示する形態が考えられる（図３２参照）。
図３２は、データ番号：１０３の画像が撮影された位置（地域名称：東京都江東区東陽５丁目３２−１９）を含む半径：第３距離ｄｄ３の円周内に位置情報を有する２つの被記録データ（いずれも撮影日時は、データ番号：１０３のものよりも古い）が、当該データ番号：１０３の画像の背面に重ねて表示された例を示す。
被記録データ表示領域５１７における重ね合わせされた画像データや文字データがある領域がクリックされると、対応する複数の画像若しくは文字が拡大して表示される（図３３参照）。
なお、図３２における「ｄｄ３」や対応する矢印線と点線の円は、第３距離ｄｄ３を図示するためのものであり、実際の第５画面Ｐ５には表示されない。
【０１１９】
第５画面Ｐ５には、ルートの設定条件（移動手段、経由地など）を入力する領域が設けられ、設定条件が入力された後に、新たなルートと共に、当該新たなルートの周辺の被記録データが表示される（第５画面Ｐ５が更新される）形態であってもよい。
【０１２０】
なお、第５画面Ｐ５における地図表示は、図２７のようにルートの全体を含む地図表示に限らず、ルートの一部を含む地図表示であってもよい。
例えば、地図を拡大して、使用者が指定したルートの一部を含む領域を表示させる形態であってもよい（図３４参照）。
【０１２１】
この場合、ルートの周辺で生成された被記録データの総てが、被記録データ表示領域５１７に表示される形態であってもよいし、地図表示領域５１３に表示されている一部のルートの周辺で生成された被記録データだけが、被記録データ表示領域５１７に表示される形態であってもよい。
【０１２２】
第１画面Ｐ１など、画面切替ボタン表示領域１０５を含む画面が表示された状態で、避難所ボタン１０５ｃがクリックされると、当該携帯端末は、位置情報サーバー３０の避難所データベースから当該携帯端末の位置から第２距離ｄｄ２（例えば、ｄｄ２＝１ｋｍ）の範囲内にある避難所に関する情報をダウンロードし、当該避難所の一覧を表示する第６画面Ｐ６の表示に切り替えられる（図２９参照）。
第６画面Ｐ６は、第３戻るボタン６１１と、第６画面Ｐ６を表示する携帯端末に近い順に避難所の名称と当該避難所までの距離を並べた避難所表示領域６１３と、画面切替ボタン表示領域１０５を有する。
第３戻るボタン６１１がクリックされると、避難所ボタン１０５ｃをクリックする前の画面の表示（ここでは、第１画面Ｐ１の表示）に切り替えられる。
避難所表示領域６１３における、避難所名称と当該避難所までの距離が表示された領域がクリックされると、当該携帯端末の現在位置を出発地とし、当該クリックされた領域に対応する避難所を目的地としたルート、及び当該ルートの周辺で記録された被記録データに関する情報であって、使用者全員に公開が許可されたものと、当該携帯端末の使用者が所属するグループの使用者に公開が許可されたものを含む地図を表示する地図表示領域５１３を有する第５画面Ｐ５の表示に切り替えられる。
【０１２３】
これにより、監視カメラなどのカメラが定常的に設置されていない場所でも、使用者からアップロードされた情報（画像、文字、音声）に基づいて、出発地から目的地（近くの避難所）までのルートの近辺の情報を視認させることが可能になる。
【０１２４】
第１画面Ｐ１など、画面切替ボタン表示領域１０５を含む画面が表示された状態で、データ送信ボタン１０５ｄがクリックされると、携帯端末は、当該携帯端末で入力されたデータ（画像データ、文字データ、音声データの少なくとも一つ）を位置情報サーバー３０に送信する第７画面Ｐ７の表示に切り替えられる（図３０、図３１参照）。
【０１２５】
第７画面Ｐ７は、第４戻るボタン７０１、第３メッセージ入力領域７０４、全員公開送信ボタン７０５ａ、限定公開送信ボタン７０５ｂ、第２入力キー領域７０６（または第２画像データ表示領域７０９）、第３画像データ送信操作ボタン７０７、第３音声データ送信操作ボタン７０８を有する。
【０１２６】
第２入力キー領域７０６を操作して、第３メッセージ入力領域７０４に文字メッセージが入力され、その後に全員公開送信ボタン７０５ａがクリックされると、携帯端末は、使用者ＩＤと、被記録データ（当該メッセージと当該携帯端末の位置情報（緯度経度情報）と入力日時情報と公開条件（公開条件パラメータｏｐ：０））を位置情報サーバー３０に送信する。
第２入力キー領域７０６を操作して、第３メッセージ入力領域７０４に文字メッセージが入力され、その後に限定公開送信ボタン７０５ｂがクリックされると、携帯端末は、使用者ＩＤと、被記録データ（当該メッセージと当該携帯端末の位置情報（緯度経度情報）と入力日時情報と公開条件（公開条件パラメータｏｐ：１））を位置情報サーバー３０に送信する。
位置情報サーバー３０は、使用者ＩＤと被記録データ（当該メッセージと位置情報（緯度経度情報と当該緯度経度情報に対応する地域名称）と入力日時と公開条件パラメータｏｐ）を画像音声文字データベースＤ３に記録する。
また、全員公開送信ボタン７０５ａがクリックされた場合も、限定公開送信ボタン７０５ｂがクリックされた場合も、位置情報サーバー３０は、使用者ＩＤと被記録データに含まれる位置情報に基づいて、位置情報データベースＤ１を更新する。
【０１２７】
第３画像データ送信操作ボタン７０７がクリックされると、第２入力キー領域７０６の代わりに、携帯端末のカメラで撮影されたスルー画像を表示する第２画像データ表示領域７０９（図３１参照）が表示される。
全員公開送信ボタン７０５ａがクリックされると、携帯端末は、使用者ＩＤと、被記録データ（スルー画像の静止画像と当該携帯端末の位置情報（緯度経度情報）と撮影日時情報と公開条件（公開条件パラメータｏｐ：０））を位置情報サーバー３０に送信する。
限定公開送信ボタン７０５ｂがクリックされると、携帯端末は、使用者ＩＤと、被記録データ（スルー画像の静止画像と当該携帯端末の位置情報（緯度経度情報）と撮影日時情報と公開条件（公開条件パラメータｏｐ：１））を位置情報サーバー３０に送信する。
位置情報サーバー３０は、使用者ＩＤと被記録データ（当該静止画像と位置情報（緯度経度情報と当該緯度経度情報に対応する地域名称）と撮影日時と公開条件パラメータｏｐ）を画像音声文字データベースＤ３に記録する。
【０１２８】
なお、送信する画像データは静止画像に限るものではなく、動画像であってもよい。
例えば、全員公開送信ボタン７０５ａや限定公開送信ボタン７０５ｂがクリック（長押し）されている間、若しくは当該クリックがされてから第４時間Ｔ４（例えば、Ｔ４＝１０秒）の間、スルー画像に対応する動画像が生成され、当該動画像が、被記録データの一部として位置情報サーバー３０に送信される形態が考えられる。
【０１２９】
また、携帯端末でスルー画像表示されたものを撮影して得られた画像データを被記録データの一部として位置情報サーバー３０に送信する形態を説明したが、撮影日時と撮影した場所の位置情報（緯度経度情報）を含むものであれば、携帯端末に既に記録されている画像データを被記録データの一部として位置情報サーバー３０に送信する形態であってもよい。
【０１３０】
第３音声データ送信操作ボタン７０８がクリックされると、当該クリック（長押し）されている間、若しくは当該クリックがされてから第４時間Ｔ４（例えば、Ｔ４＝１０秒）の間、携帯端末のマイクを使って音声が録音される。
録音終了後に全員公開送信ボタン７０５ａがクリックされると、携帯端末は、使用者ＩＤと、被記録データ（当該録音された音声と当該携帯端末の位置情報（緯度経度情報）と録音日時情報と公開条件（公開条件パラメータｏｐ：０））を位置情報サーバー３０に送信する。
録音終了後に限定公開送信ボタン７０５ｂがクリックされると、携帯端末は、使用者ＩＤと、被記録データ（当該録音された音声と当該携帯端末の位置情報（緯度経度情報）と録音日時情報と公開条件（公開条件パラメータｏｐ：１））を位置情報サーバー３０に送信する。
位置情報サーバー３０は、使用者ＩＤと被記録データ（当該録音された音声と位置情報（緯度経度情報と当該緯度経度情報に対応する地域名称）と録音日時と公開条件パラメータｏｐ）を画像音声文字データベースＤ３に記録する。
【０１３１】
本実施形態では、第１画面Ｐ１〜第７画面Ｐ７が切り替えて表示される形態を説明したが、２以上の画面が１つの表示画面上に並べて表示される形態であってもよい。
また、携帯端末から位置情報サーバー３０に送信される被記録データには、文字データと画像データと音声データのうち２つ以上が含まれる形態であってもよい。
【符号の説明】
【０１３２】
１  位置情報出力システム
２０  情報源発信部
３０  位置情報サーバー
３１  通信部
３３  記録部
３５  制御部
７０  入出力端末
１０１  第１災害情報表示領域
１０１ａ  「キャンセル情報であること」を示す文字表示領域
１０３  第１使用者位置情報表示領域
１０３ａ  位置通知ボタン
１０３ｂ  第１グループ名称表示領域
１０５  画面切替ボタン表示領域
１０５ａ  ホームボタン
１０５ｂ  災害情報ボタン
１０５ｃ  避難所ボタン
１０５ｄ  データ送信ボタン
１０５ｅ  マイページボタン
２０１  第１戻るボタン
２０３  グループチャット表示領域
２０３ａ  第２グループ名称表示領域
２０３ｂ  チャット表示領域
２０３ｂ１  第１メッセージ入力領域
２０３ｂ２  第１送信ボタン
２０３ｂ３  第１画像データ送信操作ボタン
２０３ｂ４  第１音声データ送信操作ボタン
３０１  災害時系列表示領域
４０１  第３災害情報表示領域
４０２  切替ボタン
４０３  第２使用者位置情報表示領域
５０１  第２災害情報表示領域
５０１ａ  ＯＫボタン
５１１  第２戻るボタン
５１３  地図表示領域
５１５  ルート情報領域
５１７  被記録データ表示領域
６０１  「無事を報告する」ボタン
６０２  「無事」ボタン
６０３  「メッセージを送信する」ボタン
６０４  第２メッセージ入力領域
６０５  第２送信ボタン
６０６  第１入力キー領域
６０７  第２画像データ送信操作ボタン
６０８  第２音声データ送信操作ボタン
６０９  第１画像データ表示領域
６１１  第３戻るボタン
６１３  避難所表示領域
７０１  第４戻るボタン
７０４  第３メッセージ入力領域
７０５ａ  全員公開送信ボタン
７０５ｂ  限定公開送信ボタン
７０６  第２入力キー領域
７０７  第３画像データ送信操作ボタン
７０８  第３音声データ送信操作ボタン
７０９  第２画像データ表示領域
Ｄ１  位置情報データベース
Ｄ２  グループ情報データベース
Ｄ３  画像音声文字データベース
ｄｄ１〜ｄｄ３  第１距離〜第３距離
ｄｐ１、ｄｐ２  第１詳細度パラメータ、第２詳細度パラメータ
Ｍ５１〜Ｍ５６  第５１携帯端末〜第５６携帯端末
ｍａ１〜ｍａ３  第１マーク〜第３マーク
ｏｐ  公開条件パラメータ
Ｐ１〜Ｐ７  第１画面〜第７画面
Ｐｉ１、Ｐｉ２  第１割り込み画面、第２割り込み画面
ｓｐ  安否種類パラメータ
Ｔ１〜Ｔ６  第１時間〜第６時間
【図１】
2018195966.tif 000003
【図２】
2018195966.tif 000004
【図３】
2018195966.tif 000005
【図４】
2018195966.tif 000006
【図５】
2018195966.tif 000007
【図６】
2018195966.tif 000008
【図７】
2018195966.tif 000009
【図８】
2018195966.tif 000010
【図９】
2018195966.tif 000011
【図１０】
2018195966.tif 000012
【図１１】
2018195966.tif 000013
【図１２】
2018195966.tif 000014
【図１３】
2018195966.tif 000015
【図１４】
2018195966.tif 000016
【図１５】
2018195966.tif 000017
【図１６】
2018195966.tif 000018
【図１７】
2018195966.tif 000019
【図１８】
2018195966.tif 000020
【図１９】
2018195966.tif 000021
【図２０】
2018195966.tif 000022
【図２１】
2018195966.tif 000023
【図２２】
2018195966.tif 000024
【図２３】
2018195966.tif 000025
【図２４】
2018195966.tif 000026
【図２５】
2018195966.tif 000027
【図２６】
2018195966.tif 000028
【図２７】
2018195966.tif 000029
【図２８】
2018195966.tif 000030
【図２９】
2018195966.tif 000031
【図３０】
2018195966.tif 000032
【図３１】
2018195966.tif 000033
【図３２】
2018195966.tif 000034
【図３３】
2018195966.tif 000035
【図３４】
2018195966.tif 000036